(57)【要約】【課題】  操作性のよい入力装置を備えた腕装着型電子機器を提供すること【解決手段】  腕装着型電子機器１は、上ケース１０と、下ケース３０と、周方向に回転可能に上ケース１０及び下ケース３０の間に挟まれ外周面の少なくとも一部４９が上ケース１０と下ケース３０との間において露出した環状部材で４０あって内周側部分の周方向Ｂに間隔をおいて作動部４８を備えたものと、環状部材４０が周方向に回転された際に、該環状部材４０の作動部４８によって作動されるスイッチ手段２７とを有する。【選択図】    図１
2005308499.tif 000002
【特許請求の範囲】
【請求項１】
上ケースと、下ケースと、周方向に回転可能に前記上ケース及び前記下ケースの間に挟まれ、外周面の少なくとも一部が前記上ケースと前記下ケースとの間において露出した環状部材であって、内周側部分の周方向に間隔をおいて作動部を備えたものと、環状部材が周方向に回転された際に、該環状部材の作動部によって作動されるスイッチ手段とを有する腕装着型電子機器。
【請求項２】
前記環状部材が内周部分に凹凸部を備え、前記凹凸部のうちの凸部が作動部になっている請求項１に記載の腕装着型電子機器。
【請求項３】
前記環状部材がその上側及び下側端面のうちの少なくとも一方で、前記上ケース及び前記下ケースのうちの対面する部位に係合されて、前記環状部材の周方向回転が案内されるように構成されている請求項１又は２に記載の腕装着型電子機器。
【請求項４】
前記上ケースは、外周部の少なくとも一箇所に、環状部材の外周面の前記少なくとも一部を露出させる切欠を有する請求項１から３までのいずれか一つの項に記載の腕装着型電子機器。
【請求項５】
前記上ケース及び前記下ケースのうちの少なくとも一方のケースの外周面にサイドスイッチが形成されている請求項１から４までのいずれか一つの項に記載の腕装着型電子機器。
【請求項６】
前記上ケースの前面にフロントスイッチが形成されている請求項１から４までのいずれか一つの項に記載の腕装着型電子機器。
【請求項７】
時計機能を備えている請求項１から６までのいずれか一つの項に記載の腕装着型電子機器。
【発明の詳細な説明】
【技術分野】
【０００１】
本発明は、腕時計のように腕に装着される腕装着型電子機器に係る。
【背景技術】
【０００２】
腕時計において、複数のスイッチを一種類の動作で作動させることは、知られている。腕時計の前面の外縁に位置するベゼルをケースに対して周方向に回転可能にすると共に、回転ベゼルの背面に凹凸を設けて、入力装置（スイッチ作動手段）として働くベゼルを回転させ該ベゼルの回転位置により、通常の時計表示やタイマー等の異なる動作や表示を行なわせ得るようにした腕時計は、提案されている（特許文献１）。
【０００３】
しかしながら、特許文献１の腕時計では、ベゼルが前面の外周部を占有するので、前面の表示領域が狭くなるのを避け難い。また、この特許文献１の腕時計では、ケースの前面側にあるベゼルを親指と人差し指など二本以上の指でつまんで回す必要があり、操作性が必ずしもよくない。
【０００４】
一方、ケースの側面においてケースの周方向に複数の押ボタンスイッチを並設すると共に、該押ボタンスイッチの押圧用頭部の全体をゴムの如き軟質部材で蔽い、該軟質部材の表面を指先で押圧しつつ該指先を周方向に移動させることにより、複数の押ボタンスイッチを連続的に作動させるようにした複合スイッチを備えた腕時計型の電子時計も提案されている（特許文献２）。
【０００５】
この特許文献２に提案の腕時計の場合、表示領域は大きく取れるものの、入力装置としては確実な指示が行われ難い虞れがあり結果的に操作性に欠ける虞れがある。
【特許文献１】実開平７−１８２９４号公報
【特許文献２】特開２００１−２１５２８８号公報
【発明の開示】
【発明が解決しようとする課題】
【０００６】
本発明は、前記諸点に鑑みなされたものであり、その目的とするところは、操作性のよい入力装置を備えた腕装着型電子機器を提供することにある。
【課題を解決するための手段】
【０００７】
本発明の腕装着型電子機器は、前記目的を達成すべく、上ケースと、下ケースと、周方向に回転可能に上ケース及び下ケースの間に挟まれ、外周面の少なくとも一部が上ケースと下ケースとの間において露出した環状部材であって、内周側部分の周方向に間隔をおいて作動部を備えたものと、環状部材が周方向に回転された際に該環状部材の作動部によって作動されるスイッチ手段とを有する。
【０００８】
本発明の腕装着型電子機器では、「内周側部分の周方向に間隔をおいて作動部を備えた環状部材と、環状部材が周方向に回転された際に該環状部材の作動部によって作動されるスイッチ手段と」が設けられているので、環状部材を周方向に回転させることによって、スイッチ手段を作動させ得る。また、本発明の腕装着型電子機器では、環状部材が「周方向に回転可能に上ケース及び下ケースの間に挟まれ、外周面の少なくとも一部が上ケースと下ケースとの間において露出し」ているので、環状部材のうち外周面の少なくとも一部が上ケースと下ケースとの間において露出した部分を指先などでまわすことにより、スイッチ手段を容易且つ確実に作動させ得る。すなわち、この腕装着型電子機器では、この指先での操作に際して、ケースの前面ではなくてケースの周面のところを指先でなぞるようにして環状部材を周方向に回転させ得るので、環状部材の回転操作が容易且つ確実に行われ得る。従って、環状部材が操作性のよい入力装置として機能し得る。
【０００９】
ここで、典型的には、環状部材が内周部分に凹凸部を備え、凹凸部のうちの凸部が作動部になっている。この場合、凸部がピン状や棒状等のスイッチ手段の頭部を半径方向内向きに押すことによりスイッチ手段が作動される。
【００１０】
但し、環状部材の作動部は、凹凸部の代わりに例えば周方向に間隔をおいて形成された磁石（又はその磁極）からなっていてもよい。その場合、スイッチ手段は、通常は孔の奥に位置するように弾性偏倚されるピン状のスイッチボタンでも、磁石の作用下で閉成されるリードスイッチでもよい。後者の場合、スイッチボタンの軸が不要になるので、ケースの壁部を薄くし得る。
【００１１】
また、本発明の腕装着型電子機器において、作動部が凹凸の凸部からなる場合、典型的には、環状部材の内周側部分がその内周面に前記凹凸部を有する。その場合、腕装着型電子機器の厚みの増大を最低限に抑え得る。但し、所望ならば、前記凹凸部が環状部材の内周部の上面や下面に形成されていてもよい。
【００１２】
本発明の腕装着型電子機器では、典型的には、環状部材がその上側及び下側端面のうちの少なくとも一方で、上ケース及び下ケースのうちの対面する部位に係合されて、環状部材の周方向回転が案内されるように構成されている。
【００１３】
その場合、環状部材の回転自体が上下のケースに案内され且つ回転部材の位置ズレも上下のケースによって規制され得る。
【００１４】
更に、本発明の腕装着型電子機器では、典型的には、上ケースは、外周部の少なくとも一箇所に、環状部材の外周面の前記少なくとも一部を露出させる切欠を有する。
【００１５】
その場合、環状部材の外周部を該切欠部分で操作し得る。周面での操作性を高めるためには、典型的には、下ケースも上ケースと同様な切欠を有する。なお、ケースの平面形状が楕円形や多角形や長方形などの場合には切欠はなくても環状部材の外周面の一部が露出され得る。
【００１６】
また、本発明の腕装着型電子機器は、他の種類のスイッチを同時に備えていてもよく、例えば、上ケース及び下ケースのうちの少なくとも一方のケースの外周面にサイドスイッチが形成されていても、上ケースの前面にフロントスイッチが形成されていてもよい。更に、所望ならば、前面側に更に回転ベゼルが設けられていてもよい。
【００１７】
以上において、本発明の腕装着型電子機器は、典型的には、時計機能を備えた腕装着型の電子時計の形態を採る。但し、場合によっては、時計機能はなくてもよい。
【発明を実施するための最良の形態】
【００１８】
本発明の好ましい実施の形態のいくつかを添付図面に示した好ましい実施例に基づいて説明する。
【実施例１】
【００１９】
次に、本発明による好ましい第一実施例の腕装着型電子機器としての腕時計の形態の電子時計を図１から図５に基づいて説明する。
【００２０】
図１及び図２に示した電子時計１は、上ケース１０及び下ケース３０からなるケース２を有する。以下において、説明の便宜上、電子時計１の３時の方向がＸ軸になり１２時の方向がＹ軸になるように該電子時計１に固定したＸ−Ｙ−Ｚ直交座標系（右手系）を採る。ケース２は、全体としてほぼ円筒状の形態を有し、ケース２の円柱状の室３内には、時計モジュール４や液晶パネルの如き表示部５と共にこれらに給電する電池及びその収容保持枠を含む電源部６が収容されている。ケース２の前面の開口部にはガラス７が嵌着され、背面側の開口部は、裏蓋８で閉じられている。上ケース１０と下ケース３０との間には、環状部材４０が挟まれている。
【００２１】
より詳しくは、時計１のほぼ全体を示した図１及び図２に加えて、上ケース１０を示した図３の（ａ）及び（ｂ）からわかるように、上ケース１０は、ほぼ環状の上ケース本体部１１と、該上ケース本体部１１の１２時側及び６時側に一体的に形成されたバンド取付部１２，１３とを有する。上ケース本体部１１は、図２及び図３の（ｂ）等からわかるように、内側環状部１４と外側環状部１５と内側及び外側環状部１４，１５を前面側においてつなぐ前面側環状部１６とを有し、三つの環状部１４，１５，１６は、全体として背面側で開口した環状部材収容上側凹部１７を形成している。なお、中心軸線Ｃの延在方向Ｚにおける上ケース本体部１１の外側環状部１５の長さは内側環状部１４の同方向Ｚの長さよりもＡ（図３の（ｂ））だけ長い。
【００２２】
前面側環状部１６の底面ないし背面１８のうち内側環状部１４との接続部分には、係合用の上側の円形ないし環状の溝部１９が形成されている。また、上ケース１０は、３時側及び９時側において切欠部２０ａ，２０ｂ（両者を区別しないとき又は総称するときは符号２０で表す）で切欠かれている。切欠部２０のところでは、図３の（ａ）及び（ｂ）からわかるように、外側環状部１５が欠如し、更に、前面側環状部１６のうち係合用溝部１９の外側壁部２１を含む半径方向内側部分２２だけが残っている。
【００２３】
内側環状部１４のうちほぼ３時半の位置ないし部位２３には、半径方向孔２４が形成され、該孔２４には、頭部２５を備えコイルバネ２６で半径方向外向きに偏倚されたピン状ないし棒状のスイッチボタン２７がＥ１，Ｅ２方向に摺動可能に軸部２７ａで嵌合されている。２８はＣリングの如き止輪である。モジュール４のうちスイッチ手段としてのスイッチボタン２７の先端部に対面する箇所には、スイッチボタン２７のＥ２方向の押込みによって作動されるスイッチ接点（図示せず）が形成されている。
【００２４】
一方、下ケース３０は、電子時計１のほぼ全体を表す図１及び図２に加えて下ケース３０を示した図４の（ａ）及び（ｂ）からわかるように、円形ないし環状のリング３１の形態を有する。リング３１は、上ケース１０の本体部１１の内周面１１ａと実質的に同一半径の内周面３１ａを有すると共に、上ケース１０の外側環状部１５の内周面１５ａと実質的に同一半径の外周面３１ｂを有する。また、軸線Ｃの延在方向Ｚに関するリング３１の厚さＤ（図４の（ｂ））は、上ケース本体部１１の内側環状部１４と外側環状部１５とのＺ方向の長さの差Ａに実質的に一致する。従って、この例では、下ケース３０は、大まかには、上ケース１０の下側で且つ内側に位置する。但し、例えば、下ケース３０の外周面の全体が上ケース本体部１１の外周面と実際上面一（同じ高さ）になっていてもよい。
【００２５】
環状リング３１の前面側の端面３２のうち上ケース１０のうち環状溝部１９がある箇所と実質的に同一の半径の箇所には下側の円形ないし環状溝部３３が形成されている。但し、溝部１９，３３の半径方向位置は異なっていてもよい。環状リング３１の背面側の端面のうち半径方向内側部分には、裏蓋８の外周縁部を受容する浅い円形ないし環状の凹部３４が形成されている。下ケース３０は、更に、上ケース１０と同様に、３時側及び９時側において切欠部３５ａ，３５ｂ（両者を区別しないとき又は総称するときは符号３５で表す）で切欠かれており、該切欠部３５のところでは、図４の（ａ）及び（ｂ）からわかるように、係合用溝部３３の外側壁部３６を含む半径方向内側部分３７だけが残っている。
【００２６】
環状部材４０は、電子時計１のほぼ全体を示した図１及び図２に加えて、環状部材４０を示した図５の（ａ）及び（ｂ）からわかるように、円形ないし環状の本体部４１と、該環状本体部４１上端面４２の内周縁部から＋Ｚ方向に上方に突出した円形ないし環状の上側係合突起部４３と、環状本体部４１の下端面４４の内周縁部から−Ｚ方向に下方に突出した円形ないし環状の下側係合突起部４５とを有する。図１及び図２に示した組立状態において、環状部材４０は、下端面４４において下ケース３０の上面ないし前面側の端面３２に当接する状態で下側係合突起部４５が下ケース３０の環状溝部３３に丁度嵌合すると共に、上端面４２において上ケース１０の凹部１７の上面（底面）１８に実際上摺接する状態で上側係合突起部４３が上ケース１０の環状溝部１９に丁度嵌合する。
【００２７】
従って、環状部材４０は、環状溝部１９，３３に係合突起部４２，４５で嵌合・案内された状態で、周方向Ｂに回転変位可能である。
【００２８】
環状本体部４１は、外周側には円筒状面４６を有し、内周側には半径方向外向きに窪んだ円弧状凹部４７と該凹部４７に対して半径方向内向きに突出した円弧状凸部４８とを交互に有する。凹部４７と凸部４８との間には、傾斜面４７ａ，４７ｂが形成されている。円弧状凸部４８の半径方向内側端部４８ａは、上側及び下側の係合突起部４３，４５の半径方向内側面４３ａ，４５ａよりも半径方向外側に位置する。
【００２９】
従って、環状部材４０が周方向Ｂに回転変位される際に、上ケース１０のスイッチボタン２７が環状部材４０の凹部４７の範囲内にある場合には、スイッチボタン２７はバネ２６の伸長力によって半径方向外向きＥ１に突出して頭部２５が凹部４７内に受容される非作動位置Ｐ１（図１の実線）を採る。一方、上ケース１０のスイッチボタン２７が環状部材４０の円弧状凸部４８の範囲内にある場合には、スイッチボタン２７は該円弧状凸部４８によって半径方向内向きＥ２に押込まれ頭部２５が円弧状凸部４８と上ケース１０の内側環状部１４との間に位置する作動位置Ｐ２（図１の想像線）を採る。
【００３０】
以上の如く構成された電子時計１では、上下のケース１０，３０の切欠部２０，３５のある３時側又は９時側の部分において、環状部材４０の本体部４１の外周面４６及びその近傍部分の一部４９が円弧状に露出する。従って、この露出部分４９において環状部材４０の本体部４１の外周面４６を指先でＢ方向（Ｂ１方向又はＢ２方向のうちの所定又は所望方向）に動かすだけで、係合突起部４３，４５で溝部１９，３５に係合された環状部材４０がＢ方向に回転変位され得る。一方、環状部材４０のＢ方向回転に伴って突起部４８がスイッチボタン２７の頭部２５をＥ２方向に押すと、スイッチボタン２７がＥ２方向に押込まれ、モジュール４の対応する位置にあるスイッチ接点を作動状態に設定する。これにより、例えば、動作モードや表示等が切替えられる。
【００３１】
このスイッチボタン２７の押圧動作において、ユーザは、電子時計１の外周に露出した環状部材４０の外周面４６を含む露出部４９を指先で回すだけでよいので、環状部材４０の回転変位を容易且つ確実に行い得、該回転変位によってスイッチボタン２７を容易且つ確実に作動させ得る。なお、この電子時計１では、環状部材４０は、特許文献１のような回転ベゼルと異なり、時計１の前面の外周部分のスペースを占有しないから、表示部５の視認可能な表示領域が広く確保され得る。
【００３２】
この例では、図示及び説明の簡明化のために、スイッチボタン２７が一箇所だけにあるとして説明したけれども、典型的には、スイッチボタン２７は上ケース１０の周方向の複数箇所に設けられ得る。また、この例では、図示及び説明の簡明化のために、環状部材４０が、凹部４７及び凸部４８を等間隔に有するとして説明したけれども、その間隔や長さは異なり得、特に、スイッチボタン２７を周方向に間隔をおいて複数個設ける場合、凸部４８が所望のパターンで該スイッチボタンを押圧し得るように、凸部４８の周方向の分布や長さ及びスイッチボタン２７の周方向の間隔等を適宜選んでおけばよい。また、場合によっては、凸部４８の半径方向の高さやスイッチボタン２７の半径方向の突出高さを異ならせておいてもよい。
【００３３】
更に、環状部材４０の凹部４７又は凸部４８が周方向に等間隔でない場合には、環状部材４０の周方向Ｂの位置を示す目盛りやマークを、環状部材４０の外周近傍の露出可能領域に形成しておき、読取基準位置を上ケース１０の切欠部２０の前面等にマークで示しておいてもよい。
【００３４】
また、以上においては、環状部材４０の上下の係合突起部４３，４５が該環状部材４０の半径方向内縁にあるとして説明したけれども、半径方向の中間部に突起部４３，４５があってもよい。更に、環状部材４０が半径方向位置決め及び周方向回転変位が確保され得る限り、二つの突起部４３，４５のうちの一方の突起部４３又は４５はなくてもよい（例えば、後述の図７参照）。その場合、突起部４３又は４５のある部位の端面４２又は４４が反対側の突起部４５又は４３と協働して環状部材４０の半径方向位置決め及び周方向回転変位の案内を行うことになる。上ケース１０の溝部１９や下ケース３０の溝部３３は、対応する突起部４３や４５の配置や有無に応じて変更される。
【００３５】
更に、以上においては、環状部材受容凹部１７が上ケース１０に設けられている例について説明したけれども、環状部材受容凹部１７は上ケース１０の代わりに下ケース３０に設けられてもよく、両方のケース１０，３０に一部分づつ設けられてもよい。また、以上においては、下ケース３０が裏蓋８とは別体であるとして説明したけれども、裏蓋が下ケース３０に一体的に形成されていてもよい。
【００３６】
なお、環状部材４０が一つ設けられる代わりに、同様な環状部材が上又は下に一つ以上並設されてもよい。
【実施例２】
【００３７】
なお、図６及び図７に示したように、環状部材４０によって作動される押ボタンスイッチ２７とは別に、指で直接的に操作・作動される押ボタンスッチ２７ｆが更に設けられていてもよい。図６及び図７の例において、図１から図５に示した部材や部位又は要素と実際上同様な部材や部位又は要素には同一の符号が付され、一部に異なる点があるものには、同一の符号の最後に添字「ｆ」が付されている。
【００３８】
図６及び図７に示した腕装着型電子機器としての電子時計１ｆでは、下ケース３０ｆに押ボタンスイッチを構成するスイッチボタン２７ｆが更に設けられている。スイッチボタン２７ｆは、下ケース３０ｆに形成されている点を除いて電子時計１の上ケース１０の孔２４と同様な孔３８に装着され、外部に露出することから頭部２５ｆが大きい点を除き、電子時計１のスイッチボタン２７と実質的に同様に構成されている。
【００３９】
環状部材４０ｆは、下部の内周縁に環状突起部４５を有する代わりに、下端面４４ｆがほぼ平坦に形成され、下側の内周端縁６１で上ケース１０ｆの内側環状部１４の外周縁の下端と下ケース３０ｆとの間に形成された環状溝部６２に係合されて周方向回転が案内される点、及び下端面４４ｆの外周縁近傍に小さい環状係合部（この場合環状溝部）４５ｆを有する点において、電子時計１の環状部材４０とは異なる。
【００４０】
また、下ケース３０ｆは、溝部６２を形成すべく環状部材４０ｆの下端面４４ｆを受容する外周側部分の全体に環状凹部６３が形成されている点及び環状部材４０ｆの小さい環状係合部（溝部）４５ｆと係合する小さい環状係合部（この場合凸部）３３ｆを有する点に加えて、電子時計１の下ケース３０よりも厚い（Ｚ方向の長さが大きい）点を除き、下ケース３０とほぼ同様に構成されている。
【００４１】
なお、図７に示したように、下ケース３０ｆのうち環状部材４０ｆの下端面４４ｆに当接する箇所には、溝部６４が形成され、該溝部６４には環状部材４０ｆの下端面４４ｆを転がり摩擦で支持し環状部材４０ｆのＢ方向回転に対する摩擦抵抗を低減させるボール６５が収容されている。ボール６５は、周方向の少なくも二箇所（直径方向に対向する位置）にまたは三角形を形成するように周方向の三箇所あるいはそれ以上の箇所に設けられる。溝部６４は、典型的には、環状であるけれども、環状部材４０ｆをある角度範囲内で往復回転変位させることを想定すると、周方向に間隔をおいて形成された円弧の形態であってもよい。このようなボールによる摩擦低減は、実施例１の電子時計１にも同様に適用され得る。
【００４２】
図６及び図７に示した電子時計１ｆでは、上ケース１０には、ほぼ３時半の位置とほぼ８時半の位置とにスイッチボタン２７が設けられ、下ケース３０ｆには、ほぼ８時半の位置にスイッチボタン２７ｆが設けられている。但し、これらの周方向位置は、単なる一例であり、異なる箇所に異なる数で夫々のスイッチボタン２７，２７ｆが設けられていてもよい。また、スイッチボタン２７及び環状部材４０が上ケース１０に設けられる代わりに下ケース３０ｆに設けられ、上ケース１０にスイッチボタン２７ｆが設けられてもよい。勿論、両方のスイッチボタン２７，２７ｆがＺ方向厚さの厚い上ケース又は下ケースに設けられてもよい。
【００４３】
いずれにしても、電子時計１ｆでは、環状部材４０ｆ及びスイッチボタン２７に加えて、スイッチボタン２７ｆが設けられていることから、例えば、動作モードや表示モードの指示をスイッチボタン２７ｆで行い、更に環状部材４０ｆを回転させて時間設定などの調整を行うことにより柔軟な操作・指示が可能になる。
【実施例３】
【００４４】
また、図８及び図９に示したように、環状部材４０によって作動される押ボタンスイッチ２７とは別に、指で直接的に操作・作動される押ボタンスッチ２７ｇが上ケースの前面側に設けられていてもよい。図８及び図９の例において、図１から図５又は図６及び図７に示した部材や部位又は要素と実際上同様な部材や部位又は要素には同一の符号が付され、一部に異なる点があるものには、同一の符号の最後に添字「ｇ」が付されている。
【００４５】
図８及び図９に示した腕装着型電子機器としての電子時計１ｇでは、上ケース１０ｇの前面に、スイッチボタン７０が設けられている点を除き、図１から図５の電子時計１と同様に構成されている。
【００４６】
電子時計１ｇでは、上ケース１０ｇが前面に張出した壁部８１を備え、ガラス７ｇが弦８２に沿って切取られた下弦の月のような形を採る。壁部８１は、貫通孔８３及び前面側の大径孔部ないし凹部８４を有し、スイッチボタン７０は、大径孔部８４内に押込み可能なほぼ三日月形の平面形状の頭部７１を備える点を除きスイッチボタン２７や２７ｆと同様に構成される。
【００４７】
なお、ガラス７ｇの形状が異なることに応じて液晶パネルの如き表示部材５ｇも対応する表示領域を備えるような形状を有し、スイッチボタン７０が前面にあることに応じて、モジュール４ｇが前面にもスイッチ接点（図示せず）を備える構造を有する。勿論、スイッチボタン７０が表示部材５ｇの駆動制御部分にあるスイッチ接点を作動させるようになっていてもよい。
【００４８】
スイッチボタン７０の頭部７１等の形状は異なっていてもよく、また、環状部材４０の周方向Ｂの回転変位を妨げない限り、前面側のスイッチボタン７０の位置も異なっていてもよい。
【００４９】
この電子時計１ｇでは、電子時計１ｆと同様に、動作モードや表示モードの指示をスイッチボタン７０で行い、その後の量的調整などを環状部材４０を回転させて行うなどより柔軟な操作・指示が行われ得る。
【００５０】
環状部材の作動部は、凹凸部の代わりに例えば周方向に間隔をおいて形成された磁石（又はその磁極）からなっていてもよい。その場合、スイッチ手段は、例えば、通常は孔の奥に位置するように弾性偏倚され磁石が対面する位置にあるとき磁石に吸い付けられるピン状のスイッチボタンでも、磁石の作用下で開成されるリードスイッチでもよい。後者の場合、スイッチボタンの軸が不要になるので、ケースの壁部を薄くし得る。なお、前者の場合でも、環状部材の内周面は実際上凹凸がなく滑らかな円筒状面でよいから、環状部材の半径方向の厚さを薄くし得る。
【図面の簡単な説明】
【００５１】
【図１】本発明による好ましい一実施例の腕装着型電子時計の平面説明図であって、左半分は上面説明図、右半分は図２のＩ−Ｉ線断面説明図。
【図２】図１の電子時計のＩＩ−ＩＩ線断面説明図。
【図３】図１の電子時計の上ケースを示したもので、（ａ）は図１と同様な平面説明図、（ｂ）は（ａ）のＩＩＩＢ−ＩＩＩＢ線断面説明図。
【図４】図１の電子時計の下ケースを示したもので、（ａ）は平面（上面）説明図、（ｂ）は（ａ）のＩＶＢ−ＩＶＢ線断面説明図。
【図５】図１の電子時計の環状部材を示したもので、（ａ）は図１と同様な平面説明図、（ｂ）は（ａ）のＶＢ−ＶＢ線断面説明図（但し、凹凸についてはその概要を示したものであって断面部分を除いて詳細な位置ないし形状は正確には（ａ）に対応しない）。
【図６】本発明による別の好ましい一実施例の腕装着型電子時計についての図１と同様な平面説明図。
【図７】図６の電子時計のＶＩＩ−ＶＩＩ線断面説明図。
【図８】本発明による更に別の好ましい一実施例の腕装着型電子時計についての図１と同様な平面説明図。
【図９】図８の電子時計のＩＸ−ＩＸ線断面説明図。
【符号の説明】
【００５２】
Ｂ，Ｂ１，Ｂ２  周方向（回転変位方向）
Ｅ，Ｅ１，Ｅ２  スイッチボタンの変位方向
１，１ｆ，１ｇ  電子時計
２  ケース
４  モジュール
７，７ｇ  ガラス
８  裏蓋
１０，１０ｆ，１０ｇ  上ケース
１１  ケース本体部
１２，１３  バンド取付部
１４  内側環状部
１５  外側環状部
１６  前面側環状部
１７  環状部材収容凹部
１９  環状溝部
２０，２０ａ，２０ｂ  切欠部
２４  半径方向孔
２５，２５ｆ  頭部
２６  コイルバネ
２７，２７ｆ  スイッチボタン
３０，３０ｆ  下ケース
３１  環状リング
３２  前（上）端面
３３  環状溝部
３３ｆ  環状係合部（環状突起部）
３５，３５ａ，３５ｂ  切欠部
４０，４０ｆ  環状部材
４１  環状本体部
４２  上端面
４３  上側係合突起部
４４  下端面
４５  下側係合突起部
４５ｆ  環状係合部（環状溝部）
４６  円筒状周面
４７  円弧状凹部
４８  円弧状凸部
４９  露出部
６１  内周端縁
６２  環状溝部
６３  環状凹部
６４  ボール受容溝部
６５  ボール
７０  スイッチボタン
８１  前面側壁部
【図１】
2005308499.tif 000003
【図２】
2005308499.tif 000004
【図３】
2005308499.tif 000005
【図４】
2005308499.tif 000006
【図５】
2005308499.tif 000007
【図６】
2005308499.tif 000008
【図７】
2005308499.tif 000009
【図８】
2005308499.tif 000010
【図９】
2005308499.tif 000011